(57)【要約】  患者の固視抑制の存在及び量（深さ）を計測するデバイスが利用される。デバイスは、第１の光を発する第１の光源と第２の光を発する第２の光源を含む。光源から発する光の強度は独立して制御される。患者の片方の眼を被って配置される第１のフィルタは、第１の光を伝達せしめ、第２の光が伝達することを防ぐ。患者のもう片方の眼を被って配置される第２のフィルタは、第２の光を伝達せしめ、第１の光が伝達することを防ぐ。デバイスを利用する方法では、第１と第２の光のうちの少なくとも一つの強度は独立して制御され、患者に対して光が等しく明るく見える上記第１と第２の光の強度での差異が患者の固視抑制の量を決定する。
2009530065.tif 000002
【特許請求の範囲】
【請求項１】
患者の固視抑制の深さを計測するデバイスであって、
第１のスペクトル出力を有する光を発する第１の光源と、
上記第１の光源と離隔し、第１のスペクトル出力とオーバーラップしない別の第２のスペクトル出力を有する光を発する第２の光源と
を含み、
第１と第２の光源から発する光の強度が独立して制御される
ことを特徴とするデバイス。
【請求項２】
上記第１と第２の光源の強度を、選択の上、独立に変更するための制御回路を、更に含む
ことを特徴とする請求項１に記載のデバイス。
【請求項３】
約０．０５対数単位と約１．０対数単位の間で、上記光源の強度を増加し減少するように、上記制御回路が構成されている
ことを特徴とする請求項２に記載のデバイス。
【請求項４】
上記制御回路がパルス駆動回路を含む
ことを特徴とする請求項３に記載のデバイス。
【請求項５】
上記制御回路を制御する入力インターフェースを、更に含む
ことを特徴とする請求項２に記載のデバイス
【請求項６】
上記入力インターフェースが、
上記制御回路と繋がる強度制御スイッチであって、光源の少なくとも一つの光強度の変更を独立して作動する、強度制御スイッチを、
含むことを特徴とする請求項５に記載のデバイス。
【請求項７】
上記強度制御スイッチにより制御される上記光源の一つを選択するための光選択スイッチを、更に含む
ことを特徴とする請求項６に記載のデバイス。
【請求項８】
上記光源の少なくとも一つの強度を利用者に伝えるための出力インターフェースを、更に含む
ことを特徴とする請求項５に記載のデバイス。
【請求項９】
周辺光レベルを計測し該周辺光レベルを示すフィードバック信号を上記制御回路に送るフィードバック回路を、更に含む
ことを特徴とする請求項１に記載のデバイス。
【請求項１０】
白光を発する第３の光源を、更に含む
ことを特徴とする請求項１に記載のデバイス。
【請求項１１】
患者の固視抑制の深さを計測するためのキットにおいて、
第１の光を発する第１の光源と、第１の光源から離隔し第２の光を発する第２の光源とを含むデバイスであって、第１の光と第２の光の強度が独立して制御される、デバイスと、
患者の片方の眼を被って配置され、第１の光を自らを介して伝達せしめ、第２の光が自らを介して伝達することを防ぐ第１のフィルタと、
患者のもう片方の眼を被って配置され、第２の光を自らを介して伝達せしめ、第１の光が自らを介して伝達することを防ぐ第２のフィルタと
を含むキット
【請求項１２】
上記第１のフィルタが、一対のグラスのうちの第１のレンズで構成され、上記第２のフィルタが、同じ一対のグラスのうちの第２のレンズで構成される
ことを特徴とする請求項１１に記載のキット。
【請求項１３】
上記第１の光が第１のスペクトル出力を有し、上記第２の光が上記第１のスペクトル出力とオーバーラップしない別の第２のスペクトル出力を有する
ことを特徴とする請求項１２に記載のキット。
【請求項１４】
上記第１のスペクトル出力が緑光に対応するピーク発光波長を有し、上記第２のスペクトル出力が赤光に対応するピーク発光波長を有する
ことを特徴とする請求項１２に記載のキット。
【請求項１５】
上記第１の光が第１の平面で偏光され、上記第２の光が、通常上記第１の平面と直交する異なる第２の平面で偏光される
ことを特徴とする請求項１１に記載のキット。
【請求項１６】
上記デバイスが、白光を発する第３の光源を含む
ことを特徴とする請求項１０に記載のキット。
【請求項１７】
患者の固視抑制の深さを測定する方法において、
第１の光を表示するステップと、
第２の光を表示するステップであって、第１と第２の光の各々が強度を有する、ステップと、
患者の片方の眼を被って第１のフィルタを配置するステップであって、該第１のフィルタはそれを介して上記第１の光を伝達せしめそれを介して上記第２の光が伝達するのを防ぐ用に調整される、ステップと、
患者のもう片方の眼を被って第２のフィルタを配置するステップであって、該第２のフィルタはそれを介して上記第２の光を伝達せしめそれを介して上記第１の光が伝達するのを防ぐように調整される、ステップと、
上記第１と第２の光のうちの少なくとも一つの強度を独立して制御するステップであって、患者に対して光が等しく明るく見える上記第１と第２の光の強度が、患者の固視抑制の量を決定する
ことを特徴とする方法。
【請求項１８】
上記第１の光が第１のスペクトル出力を有し、
上記第２の光が上位第１のスペクトル出力とオーバーラップしない異なる第２のスペクトル出力を有する
ことを特徴とする請求項１７に記載の方法。
【請求項１９】
上記第１の光が第１の平面で偏光され、上記第２の光が、通常上記第１の平面と直交する異なる第２の平面で偏光される
ことを特徴とする請求項１７に記載の方法。
【請求項２０】
白光である第３の光を更に表示するステップを
更に含むことを特徴とする請求項１７に記載の方法。
【発明の詳細な説明】
【技術分野】
【０００１】
本発明は、概略、患者の固視抑制の存在及び量（深さ）を測定する装置及び方法に関する。
【背景技術】
【０００２】
固視抑制は、概略、眼内の感度若しくは鋭敏さの減少により、特徴付けされ得る。視神経の、若しくは脳内の感度における別要因からの、非伝達、若しくは伝達の乏しさにより、感度の減少が引き起こされ得る。例えば、視覚の喪失、斜視（眼位異常）、視覚妨害疾患、不同視、若しくは視神経炎は、固視抑制を引き起こしうる。光伝達の変動（例えば、濃い白内障）若しくは一つの眼の網膜異常のせいで、２つの眼の間で感度が異なってしまうことも生じ得る。
【０００３】
高価値の４点テストは、患者が眼を抑圧しているか否かを測定するために患者に施され得る従来のテストの一つである。高価値の４点テストは、二つ（２）の緑光、一つ（１）の赤光、及び一つ（１）の白光を伴うデバイスを利用することを含む。患者は、一つの眼（例えば、左眼）を覆って一枚の緑フィルタ若しくはレンズを装着し、もう一つの眼（例えば、右眼）を覆って一枚の赤フィルタ若しくはレンズを装着する。患者は、白光を眺めて全ての４点が見えるかどうか表現するように、指示される。例えば、患者が全ての４点が見えるのならば、患者のいずれの眼も抑圧されていない、と結論づけられ得る。しかしながら、患者が３つの光（二つの緑光、及び白光）しか見えないならば、患者の右眼（即ち、赤フィルタに係る眼）が抑圧されていると結論づけられ得る。また、患者が２つの光（赤光、及び白光）しか見えないならば、患者の左眼（即ち、緑フィルタに係る眼）が抑圧されていると結論づけられ得る。他の臨床テストは、瞳孔のアセスメント及び輝度感知アセスメントを含む。
【発明の開示】
【発明が解決しようとする課題】
【０００４】
固視抑制を評価するための現行の方法の全ては限度がある。高価値の４点テストは、一つの眼が抑圧されているか否か測定するのに利用され得るが、抑圧の深さ（即ち、定量）を測定するのに利用され得ないという点で、質的テストに過ぎない。高価値４点で変化を検出できるまでに、視覚感度に既に重い障害が存在するはずである。瞳孔アセスメントは、実際の視覚機能と必ずしも相関しない。輝度感知視差は、一度に片眼のみを使うことを要求するので両眼が開けられた状態で正確に視覚を評価できないことから、限界がある。抑制の深さを測定するのに利用され得るシステム若しくは装置があれば、医療専門家は、視覚に関する適切な治療を選択し、周期的に患者を再テストすることにより治療の進展を測定できる。
【課題を解決するための手段】
【０００５】
本発明の一つの実施形態では、患者の固視抑制の深さを計測するデバイスは、第１のスペクトル出力を有する光を発する第１の光源を有する。上記第１の光源と離隔する第２の光源は、第１のスペクトル出力とオーバーラップしない別の第２のスペクトル出力を有する光を発する。第１と第２の光源から発する光の強度は独立して制御される。
【０００６】
別の実施形態では、患者の固視抑制の深さを計測するためのキットは、第１の光を発する第１の光源と、第１の光源から離隔し第２の光を発する第２の光源とを含むデバイスを含む。上記第１の光と第２の光の強度は、独立して制御される。患者の片方の眼を被って配置される第１のフィルタは、第１の光を自らを介して伝達せしめ、第２の光が自らを介して伝達することを防ぐ。患者のもう片方の眼を被って配置される第２のフィルタは、第２の光を自らを介して伝達せしめ、第１の光が自らを介して伝達することを防ぐ。
【０００７】
更に別の実施形態では、患者の固視抑制の深さを測定する方法は、第１の光を表示するステップと、第２の光を表示するステップを含む。第１と第２の光の各々は強度を有する。第１のフィルタは、患者の片方の眼を被って配置される。該第１のフィルタは、それを介して上記第１の光を伝達せしめそれを介して上記第２の光が伝達するのを防ぐように調整される。第２のフィルタは、患者のもう片方の眼を被って配置される。該第２のフィルタは、それを介して上記第２の光を伝達せしめそれを介して上記第１の光が伝達するのを防ぐように調整される。上記第１と第２の光のうちの少なくとも一つの強度は独立して制御される。患者に対して光が等しく明るく見える上記第１と第２の光の強度が、患者の固視抑制の量を決定する。
【発明の効果】
【０００８】
抑制の深さを測定するのに利用され得るシステム若しくは装置があれば、医療専門家は、視覚に関する適切な治療を選択し、周期的に患者を再テストすることにより治療の進展を測定できる。
【発明を実施するための最良の形態】
【０００９】
図面、特に、図１を参照して、患者の固視抑制の深さ若しくは量を計測するためのキットが、概略、符号１０で示される。キット１０は、概略符号１２で示される発光装置、概略符号１４で示される一対のグラスを含み、その両方とも以下に詳細に説明する。
【００１０】
図１〜３を参照して、発光装置は、概略円筒形の、懐中電灯の形状に非常によく似た、反対側に概略円形の端部１８Ａ、１８Ｂを有する、ハウジング１６を含む。３つの発光ダイオード（ＬＥＤ）２０Ｌ、２０Ｃ、２０Ｒが、ハウジング１６の端部の一つ１８Ａに配置されている。ＬＥＤ２０Ｌ、２０Ｃ、２０Ｒは概略水平に配置されているが、別の構成も本発明の範囲内である。左のＬＥＤ２０Ｌ（第１の光源）は、緑光に対応するピーク発光波長を伴う第１のスペクトル出力を有する光を発するように構成され、右のＬＥＤ２０Ｒ（第２の光源）は、赤光に対応するピーク発光波長を伴う第２のスペクトル出力を有する光を発するように構成されてよい。夫々のＬＥＤから発する光の第１と第２のスペクトル出力は、この実施形態ではオーバーラップしない。即ち、第１のスペクトル出力は、第２のスペクトル出力の波長の範囲とオーバーラップしない波長の範囲を含む。真ん中即ち中央の光２０Ｃ（第３の光源）は、白光を発するように構成されてよい。当然のことながら、“左”及び“右”という用語は、図面に示される光源の位置づけに言及するに過ぎず、いずれにせよ限定事項ではない、という共通認識がある。光の色の構成は、記載のもの以外でもよい。以下により詳細に説明するように、ＬＥＤ２０Ｌ、２０Ｃ、２０Ｒは、本発明の範囲から乖離することなく、明細書以外のピーク発光波長を伴うスペクトル出力を有する光を発するように構成されてもよい。更に当然のことながら、発光装置１２は、種々のスペクトル出力を有する光を発するＬＥＤ以外のデバイスを含んでもよい。
【００１１】
発光装置１２は、左のＬＥＤ２０Ｌ及び右のＬＥＤ２０Ｒの夫々から発する光の強度を独立して制御するための、概略符号２２で示される、強度デバイスも含む。即ち、強度デバイス２２により、操作者は、他の光の強度に影響することなく、左のＬＥＤ２０Ｌでも右のＬＥＤ２０Ｒでも夫々から発する光の強度を選択的に制御できる（例えば、増加できる、及び／又は減少できる）。（中央の光源２０Ｃから発する光の強度は、一定を維持してもよい。）
【００１２】
図１、２及び４を参照して、一つの実施形態の強度デバイス２２は、ＬＥＤ２０Ｌ、２０Ｃ、２０Ｒの強度（即ち、出力）を制御する制御回路２３（図４）、該回路により強度が制御される光２０Ｌ、２０Ｒを選択する光選択スイッチ２４、及び、該回路によって選択される光の強度の増加及び／又は減少を作動させる強度制御スイッチ２６を、含む。光選択スイッチ２４及び強度制御スイッチ２６は、広く入力インターフェースと称することも可能である。強度の対数単位のデジタル読み出し２８（以下、出力インターフェースという。）は、ハウジング１６上に配置される。
【００１３】
一つの実施形態では、光選択スイッチ２４は、強度制御スイッチ２６の操作により左のＬＥＤ２０Ｌのみの強度が制御される第１の位置と、強度制御スイッチの操作により右のＬＥＤ２０Ｒのみの強度が制御される第２の位置との間で選択されて移動し得る滑りスイッチである。光選択スイッチ２４は、操作者が左と右のＬＥＤ２０Ｌ、２０Ｒから発する光の強度を夫々選択して且つ独立に制御し得るのに適切な他の方法で、操作されてもよい。
【００１４】
一つの実施形態に係る強度制御スイッチ２６はロッカースイッチであり、これによりスイッチの一方端を押下して、選択したＬＥＤ２０Ｌ、２０Ｒの強度の増加を作動し、逆端を押下して、選択したＬＥＤの強度の減少を作動する。選択したＬＥＤ２０Ｌ、２０Ｒの強度を選択的に増加させ若しくは減少させるのに適切な他のタイプのスイッチも、本発明の範囲内である。発光装置１２は、光選択スイッチ２４を含まず代わりに個々のＬＥＤ２０Ｌ、２０Ｒに対する独立の強度制御スイッチ２６を含むようにしてもよいと考えられる。ＬＥＤ２０Ｌ、２０Ｒの強度を独立して制御する別の方法も、本発明の範囲内である。
【００１５】
強度制御スイッチ２６により作動されると、制御スイッチ２３は、選択したＬＥＤ２０Ｌ、２０Ｒの強度を増加し若しくは減少する。制御回路２３は、約０．０５対数単位と１．０対数単位の間の単位で、一つの実施形態では約０．１対数単位で、選択したＬＥＤ２０Ｌ、２０Ｒの強度を増加若しくは減少するように、予め設定されてもよい。基数強度（即ち、光が指数関数的に増加する強度）は、例えば、約ミリルクスであればよい。第１と第２の光２０Ｌ、２０Ｒの基数強度は、グラス１３を介して見たときに、知覚上明るさが同等となるように設定される。一つの実施形態では、制御回路２３は、０．５秒毎に０．１対数単位の率で、選択したＬＥＤ２０Ｌ、２０Ｒの強度を変更する。従って、例えば、１秒間強度制御スイッチ２６を押下すると、０．２対数単位で強度を増加（若しくは減少）する。対数単位の正味値の範囲は、約０．０対数単位と約０．３対数単位の間であればよい。
【００１６】
一般に、ＬＥＤは通常約２０ミリルクスより小さい光を生成できない（最小限の光強度は約２０ミリルクスである）ので、制御回路２３はパルス駆動により、２０ミリルクスのＬＥＤの最小限光強度以下の平均光強度を時間経過とともに生成し得る。パルス駆動の回路２３は、ＬＥＤ２０Ｌ、２０Ｒが所定時間最大限強度でオンし続いて所定期間オフするように、ＬＥＤ２０Ｌ、２０Ｒに実効的にパルスを送る。例えば、光の平均強度は、ＬＥＤが同一の時間オフされオンされるとき、最大限強度の半分に等しくなる。パルス駆動回路は、光が明滅しないようにＬＥＤに対して５０Ｈｚ以上の割合で設定され得る。制御回路２３は周知のタイプのパルス駆動回路であってよい。ＬＥＤにパルスを送る別の理由は、光強度の関数として一貫したスペクトル出力を維持することである。この特性は、全ての強度で計測の正確性を維持するのに利用される。
【００１７】
発光装置１２は、標準の電気コンセントに電気的に接続するように構成された電気コード３０を介して電力供給される。装置は、バッテリや他の動力源などにより、別の手段で動力供給されてもよく、本発明の範囲から乖離するものではない。
【００１８】
発光装置１２は比較的小さい。例えば、断面直径は、約１．００インチ（２．５４ｃｍ）と約１０．０インチ（２５．４ｃｍ）の間であればよく、特に１．７５インチ（４．４５ｃｍ）であればよい。更に、装置１２の長さは、約１．００インチ（２．５４ｃｍ）と約１２．０インチ（３０．４８ｃｍ）の間であればよく、特に７．２５インチ（１８．４２ｃｍ）であればよい。装置１２が比較的小さいサイズであることにより、装置を別の場所に容易に運ぶことができる。
【００１９】
発光装置１２は、低年齢小児の注意を光に向けさせるための、図示しない特徴を含んでもよい。例えば、装置１２は低年齢小児の注意を助長するための、ハウジングの端部に付属するフェースプレート（図示せず）を含んでもよい。音や点滅光も組み込まれてもよい。他の特性も本発明の範囲内である。
【００２０】
図１に戻り、例示の実施形態に係る一対のグラス１４は、左フィルタ３２Ｌ（第１のフィルタ）即ち患者の左眼を覆って配置されるレンズ、及び右フィルタ３２Ｒ（第２のフィルタ）即ち患者の右眼を覆って配置されるレンズを含む。概して、左フィルタ３２Ｌは、一つのＬＥＤ（例えば、左ＬＥＤ２０Ｌ）から発する光をそこを介して送らしめもう一つのＬＥＤ（例えば、右ＬＥＤ２０Ｒ）から発する光をそこを介して送ることを防ぐように、構成される。右フィルタ３２Ｒは、一つのＬＥＤ（例えば、右ＬＥＤ２０Ｒ）から発する光をそこを介して送らしめもう一つのＬＥＤ（例えば、左ＬＥＤ２０Ｌ）から発する光をそこを介して送ることを防ぐように、構成される。本実施形態では、左フィルタ３２Ｌは左ＬＥＤ２０Ｌのスペクトル出力に適合するバンドパスを有し、右フィルタ３２Ｒは右ＬＥＤ２０Ｒのスペクトル出力に適合するバンドパスを有する。例えば、左フィルタ３２Ｌが緑フィルタで、右フィルタ３２Ｒが赤フィルタであればよい。患者の眼を被うフィルタ３２Ｌ、３２Ｒを配置する別の方法は、グラスを利用することに加えて、本発明の範囲内である。
【００２１】
以下でより詳細に説明するように、赤フィルタは緑光（より短い波長）を実効的にブロックし（即ち、除去し）赤光（より長い波長）のみ透過し、緑フィルタは赤光を実効的にブロックし（即ち、除去し）緑光のみ透過するので、赤及び緑光、並びに赤及び緑フィルタは本発明には適合的である。同様の結果を生成する他の色を用いることも、本発明の範囲内である。
【００２２】
図４を参照して、発光装置１２は、周辺光強度を計測するための周辺光フィードバック回路３４を含む。フィードバック回路３４は、フォトダイオードなどの周辺光センサを含んでもよい。周辺光フィードバック回路３４は、周辺光レベルを示す周辺出力信号を制御回路２３に送るように構成されている。制御回路は、種々の周辺光強度を有する部屋や環境でテストが正確に実施され得るように、計測された周辺光強度に基づいてＬＥＤ２０Ｌ、２０Ｒ、２０Ｃを調整すべく適合される。例えば、制御回路２３は、装置が明るい部屋で利用されているとき比例してＬＥＤ２０Ｌ、２０Ｒの強度を増加してもよく、装置が暗い部屋で利用されているとき比例して光強度を減少する。テストの開始時、周辺光フィードバック回路３４は、周辺光強度を示す周辺出力信号を制御回路２３に送る。周辺光信号を利用して、制御回路２３は、ＬＥＤ２０Ｌ、２０Ｒ、２０Ｃの初期光強度を設定する。テストの間、ＬＥＤ２０Ｌ、２０Ｒの一つの強度が変化すると、制御回路２３はＬＥＤ間の正確な強度率を維持してテストの正確性を保証する。
【００２３】
キット１０は、患者が（例えば、左眼や右眼の）眼を固視抑制しているか、どの深さ若しくは程度まで眼が抑制されているか、テストするのに利用される。以下の例示のテストは、発光装置１２における緑光２０Ｌを発する左ＬＥＤ２０Ｌ及び赤光を発する右ＬＥＤ２０Ｒ、並びに、グラス１４における緑左フィルタ３２Ｌ及び赤右フィルタ３２Ｒを、利用する。テストは薄暗い部屋で行われてもよい。グラス１４は患者に掛けられる。患者と発光装置１２の間の距離は約３フィートである。操作者は発光装置１２を保持してもよいし、地面や他のデバイス上に置く若しくは搭載してもよい。グラス１４を介して眺めたときに同じ強度であるように見える光を、全ての三つのＬＥＤ２０Ｌ、２０Ｃ、２０Ｒが発しているように、装置１２はオンされる。患者は、自分の眼を中央の白光２０Ｃに焦点を合わせる若しくは向けるように指示される。患者は、緑及び赤ＬＥＤ２０Ｌ、２０Ｒが等しい明るさであるように見えるかどうかを言葉で表現するように、又は別途伝えるように、指示される。ＬＥＤ２０Ｌ、２０Ｒが等しい明るさの光を発していると、患者が伝えたら、患者は眼を固視抑制していないと結論付けされ得る。
【００２４】
しかしながら、ＬＥＤ２０Ｌ、２０Ｒから発せられる光が等しい明るさではないと患者が伝えたら、若しくは、患者が二つの光（即ち、白光２０Ｃと彩色光の一つ）のみ見えるならば、患者は眼を固視抑制していると結論付けられ得る。例えば、左ＬＥＤ２０Ｌから発する緑光が見えない、若しくは緑光が右ＬＥＤ２０Ｒから発する赤光より明るく見えない、と患者が伝えたら、患者は左眼を固視抑制していると結論付けられ得る。例えば、右ＬＥＤ２０Ｒから発する赤光が見えない、若しくは赤光が左ＬＥＤ２０Ｌから発する緑光より明るく見えない、と患者が伝えたら、患者は左眼を固視抑制していると結論付けられ得る。
【００２５】
患者の伝える情報を利用して、操作者は、見えない、若しくは患者には明るくないように見える光を発する適宜のＬＥＤを選択するように、光選択スイッチ２４を動かす。操作者は、続いて強度制御スイッチ２６を操作して（例えば、ロッカースイッチを押下して）選択したＬＥＤ２０Ｌ、２０Ｒから発する光の強度を増加し、患者は光が等しく明るく見えるときに、伝えるように指示される。操作者は、選択したＬＥＤ２０Ｌ、２０Ｒから発する光の強度が増加する速さを制御し、更に、操作者は、患者の指示に従って、即ち、どの強度で光が等しく明るく見えるか患者には不確定であるならば、強度を減少できる。ＬＥＤ２０Ｌ、２０Ｒから発する光が等しく明るいと患者が伝えれば、操作者はデジタル読み出し２８から対数単位の数値データを収集する。
【００２６】
別の例では、患者は操作者から独立して装置１２を操作し、自分自身で上記ステップを実施する。装置１２を操作する別の方法も本発明の範囲内である。
【００２７】
光が等しく明るく見える選択したＬＥＤ２０Ｌ、２０Ｒから発する光の強度は、患者の抑制の深さに直接対応する。例えば、２．０対数単位の数値読み出しを伴う患者は、おそらく約０．５対数単位の数値読み出しを有する患者よりもより大きい固視抑制を有すると判断し得る。従って、対数単位読み出しが抑制の深さに対応するので、検眼士や眼科医などのアイケアの専門家は、抑制の深さに基づいて、視覚治療若しくは眼へのパッチ当ての処方をすることができる。更に、視覚治療の結果及び／又は進展は、本キットを利用して計測され得る。例えば、２．０対数単位で光が等しく明るく見えると患者が伝え、視覚治療後１．５対数単位で光が等しく明るいと患者が伝えたら、医療専門家は、視覚治療が十分にも若しくは不十分にも進展していると結論づけでき、患者は該治療を継続することも、別のタイプの治療に切り替えることも、夫々可能である。
【００２８】
当然ながら、テストは別途で実施し得る。例えば、ＬＥＤ２０Ｌ、２０Ｒが高い初期強度（例えば、３．０対数単位）で設定され、操作者が最も明るく見える光強度を光が等しく明るくなるまで減少させるようにしてもよい。上記と同じ例を利用して、左ＬＥＤ２０Ｌから発する緑光が最も明るく見えるならば、患者はおそらく右眼を抑制している。従って、操作者は左ＬＥＤ２０Ｌを選択し光が等しく明るく見えるまでその光強度を減少させる。光２０Ｌ、２０Ｒが等しく明るく見える読み出し２８は、患者の右眼の抑制の深さに直接に対応する。固視抑制の深さを計測するためのキット１０を利用する他の方法も、本発明の範囲内である。
【００２９】
本発明の別の実施形態では、キットの部品の概略構造は、図１−４の実施形態と同じである。従って、対応する部分は対応する参照番号により示される。この実施形態では、左ＬＥＤ２０Ｌ（以下、第１の光源という。）から発する第１の光は、第１の平面で偏光され、右ＬＥＤ２０Ｒ（以下、第２の光源という。）から発する第２の光は、異なる第２の平面で偏光される。例えば、第１の光が第１の平面内で偏光するように、第１の偏光フィルタが左ＬＥＤ２０Ｌと関連付けされ、第２の光が一般に第１の平面と直交する第２の平面内で偏光するように、異なる第２の偏光フィルタが右ＬＥＤ２０Ｒと関連付けされるようにしてもよい。グラス１４の左フィルタ３２Ｌは、ＬＥＤ２０Ｌ、２０Ｒのうちの一つ（例えば、左ＬＥＤ２０Ｌ）から発する光と適合するように偏光され、そのＬＥＤからの偏光を患者の左眼に伝達せしめ、他のＬＥＤ（例えば、右ＬＥＤ３２Ｒ）からの光が患者の左眼に伝達するのを防ぐ。逆に、右フィルタ３２Ｒは、上記の他のＬＥＤ（例えば、右ＬＥＤ２０Ｒ）からの偏光を患者の右眼に伝達せしめ、最初のＬＥＤ（例えば、左ＬＥＤ３２Ｌ）からの光が患者の右眼に伝達するのを防ぐ。当業者には当然の事由であるが、本実施形態のキットのためのテストの手順は、前述の実施形態のキットのための上述の手順と実質的に同様に進む。
【００３０】
本発明の要件、又は例示の実施形態を導入する際、冠詞“一つの”、“一つの”、“その”及び“上記の”は、一つ若しくはそれ以上の要件があることを意味する意図である。用語“包含する”、“含む”及び“有する”は、包含の意図であり、列挙の要件以外に更なる要件が在り得ることを意味する。
【００３１】
本発明の範囲から乖離することなく、上記構成、生成物、及び方法において種々の変更が為され得るので、上記記載に含まれ添付の図面に示される事由の全ては、例示として解釈されるものであり限定的意味で解釈されるものではない。また、明細書に示す寸法の情報の全ては例示のものであり、別途記さない限り本発明の範囲を限定することを意図するものではない。
【図面の簡単な説明】
【００３２】
【図１】発光装置及び一対のフィルタグラスを含む、患者の固視抑制の深さを測定するのに利用するキットの斜視図である。
【図２】発光装置の平面図である。
【図３】発光装置の正面図である。
【図４】発光装置の制御回路と発光装置の部品との間の通信を説明する概略図である。
【符号の説明】
【００３３】
１０・・・キット、１２・・・発光装置、１４・・・グラス、１６・・・ハウジング、２０Ｌ、２０Ｃ、２０Ｒ・・・ＬＥＤ、２２・・・強度デバイス、３２Ｌ、３２Ｒ・・・フィルタ。
【図１】
2009530065.tif 000003
【図２】
2009530065.tif 000004
【図３】
2009530065.tif 000005
【図４】
2009530065.tif 000006
【国際調査報告】
2009530065.tif 000007